(57)【要約】【課題】  雨上がりの後に、屋根以外の建物躯体の外装壁面から突出する突出構造体上に滴下する水滴によって発生する騒音を、効果的に低減させることができるようにした水滴落下音の低減化装置、およびこの低減化装置を取り付けてなる突出構造体を提供する。【解決手段】  建物躯体１の壁部２から外側前方に向けて、少なくとも一部が突出する窓枠（突出構造体）５上に、左右方向に取り付けるためのシート保持体１０と、このシート保持体１０に、少なくとも下方に空間を存在させた状態で前方に向けて下降傾斜させて張設した多孔性シート状物９とよりなることを特徴とする水滴落下音の低減化装置とする。【選択図】    図３
2010053638.tif 000002
【特許請求の範囲】
【請求項１】
建物躯体の壁部から外側前方に向けて、少なくとも一部が突出する突出構造体上に、左右方向に取り付けるためのシート保持体と、このシート保持体に少なくとも下方に空間を存在させた状態で前方に向けて下降傾斜させて張設した多孔性シート状物とよりなることを特徴とする水滴落下音の低減化装置。
【請求項２】
突出構造体を、窓枠、出窓、または上部にシャッター収容ケースを有する窓用シャッターとした請求項１記載の水滴落下音の低減化装置。
【請求項３】
シート保持体を、後面が建物躯体の壁部外側面に沿って配置されるとともに、前方に向けて下降傾斜する傾斜面を有する側面視ほぼ直角三角形状の中空構造体によって形成し、かつ前記傾斜面の上下端に膨出端部を設け、この上下端の膨出端部間に、多孔性シート状物を前記傾斜面との間に空間を存在させて張設した請求項１または２記載の水滴落下音の低減化装置。
【請求項４】
シート保持体を、後面が建物躯体の壁部外側面に沿って配置される起立片と、この起立片の下端から前方に向けて延びる水平片とよりなる側面視ほぼＬ字状に形成するとともに、起立片の上端と水平片の前端との間に、多孔性シート状物を前方に向けて下降傾斜させて張設した請求項１または２記載の水滴落下音の低減化装置。
【請求項５】
シート保持体を、多孔性シート状物を張設させる第１部材と、この第１部材を所望の角度で支持する第２部材とより構成するとともに、第１部材を前方に向けて下降傾斜する傾斜面を有する側面視三角形状の中空構造体として形成し、多孔性シート状物を前記傾斜面との間に空間を存在させて張設するか、または第１部材を上下方向に開口する平面視矩形状の枠状部材として形成し、この枠状部材の少なくとも上面開口に多孔性シート状物を張設した請求項１または２記載の水滴落下音の低減化装置。
【請求項６】
多孔性シート状物を、孔径０．１ｍｍ〜２．５ｍｍの小孔を多数有する多孔板または網状物をもって形成した請求項１〜５のいずれかに記載の水滴落下音の低減化装置。
【請求項７】
多孔性シート状物を張設したシート保持体の左右側端を、側面部材で被覆した請求項１〜６のいずれかに記載の水滴落下音の低減化装置。
【請求項８】
請求項１〜７のいずれかに記載の水滴落下音の低減化装置を取り付けてなる突出構造体。
【発明の詳細な説明】
【技術分野】
【０００１】
本発明は、建物躯体の壁部から外側前方に向けて突出する窓枠等の突出構造体上に設置される水滴落下音の低減化装置に係り、特に雨上がりの後に落下する水滴によって発生する騒音を低減させるようにした水滴落下音の低減化装置、およびこの低減化装置を取り付けてなる突出構造体に関する。
【背景技術】
【０００２】
降雨の最中における雨音は、騒音が多少大きくても、通常殆んど気にならないものであるが、雨上がりの後に、例えば戸建住居等における寝室、台所、居間、書斎などの軒下等の壁部外側面から突出する窓枠等の上面に、屋根の庇や樋などから落下する水滴が、前記窓枠等の上面に衝突することによって発生する騒音は、雨上がりの後の開放感から、意外と気になり易く、特に神経過敏な人によっては、耳障りとなって、精神的な夷羅付きを覚えることすらある。
【０００３】
従来、降雨の際における建物躯体に、雨音の低減化を図るようにした装置としては、特許文献１に開示されているように、例えば体育館、野球場、サッカー場、陸上競技場、パビリオン施設、多目的公共施設などの大規模構造物、所謂ドーム構造物やテント構造物（膜構造物）、骨組構造物などの空間構造物などにおいて、軽量化の要請等からステンレス、チタン、スチール等の薄い金属板や、ガラス繊維布を四フッ化エチレン樹脂によってコーティングして張設される膜材などが使用された屋根材の上方に、メッシュ膜を張設することにより、雨音の低減化を図るようにしたものが公知である。
【０００４】
しかし、前記した特許文献１に記載の屋根構造では、降雨の最中における雨音の低減化を図るために適用されているもので、雨上がり後に、窓等の上枠上面に落下衝突する水滴によって発生する騒音を低減化しうるようにする対策は講じられていない。
【０００５】
また、建物躯体の壁部外側面から突出する出窓の天板と、この天板を覆う屋根板との間の空間に、ビーズ発泡成形体を充填するか（特許文献２参照）、あるいは上屋根の屋根板を鋼板によって形成して、下屋根との間に離間した空間および下屋根内の空間に発泡材を充填するとともに、屋根板と下屋根との間、または下屋根内に制振シートおよび吸音材を介在させたもの（特許文献３参照）が公知である。
【０００６】
しかし、特許文献２，３に記載されるのは、いずれも屋根板内の空間に、専ら発泡材等の吸音材を充填するものであり、雨上がりの後に落下衝突する水滴によって生ずる鈍い響きの騒音を効果的に低減させることはできない。
【特許文献１】特開２００４−１１６１８７号公報
【特許文献２】特開平９−３２１８２号公報
【特許文献３】特開２０００−２２０３５３号公報
【発明の開示】
【発明が解決しようとする課題】
【０００７】
本発明は、前記の現状に鑑み、特に雨上がりの後に、建物躯体の壁部外側面から突出する突出構造体上に落下衝突する水滴によって発生する騒音を、効果的に低減させることができるようにした水滴落下音の低減化装置、およびこの低減化装置を取り付けてなる突出構造体を提供することを目的とする。
【課題を解決するための手段】
【０００８】
上記課題は、「特許請求の範囲」における各請求項に示すように、次のような構成からなる発明によって解決される。
【０００９】
（１）建物躯体の壁部から外側前方に向けて、少なくとも一部が突出する突出構造体上に、左右方向に取り付けるためのシート保持体と、このシート保持体に少なくとも下方に空間を存在させた状態で前方に向けて下降傾斜させて張設した多孔性シート状物とよりなることを特徴とする水滴落下音の低減化装置とする。
【００１０】
（２）上記（１）項において、突出構造体を、窓枠、出窓、または上部にシャッター収容ケースを有する窓用シャッターとする。
【００１１】
（３）上記（１）項または（２）項において、シート保持体を、後面が建物躯体の壁部外側面に沿って配置されるとともに、前方に向けて下降傾斜する傾斜面を有する側面視ほぼ直角三角形状の中空構造体によって形成し、かつ前記傾斜面の上下端に膨出端部を設け、この上下端の膨出端部間に、多孔性シート状物を前記傾斜面との間に空間を存在させて張設する。
【００１２】
（４）  上記（１）項または（２）項において、シート保持体を、後面が建物躯体の壁部外側面に沿って配置される起立片と、この起立片の下端から前方に向けて延びる水平片とよりなる側面視ほぼＬ字状に形成するとともに、起立片の上端と水平片の前端との間に、多孔性シート状物を前方に向けて下降傾斜させて張設する。
【００１３】
（５）  上記（１）項または（２）項において、シート保持体を、多孔性シート状物を張設させる第１部材と、この第１部材を所望の角度で支持する第２部材とより構成するとともに、第１部材を前方に向けて下降傾斜する傾斜面を有する側面視三角形状の中空構造体として形成し、多孔性シート状物を前記傾斜面との間に空間を存在させて張設するか、または第１部材を上下方向に開口する平面視矩形状の枠状部材として形成し、この枠状部材の少なくとも上面開口に多孔性シート状物を張設する。
【００１４】
（６）上記（１）〜（５）項のいずれかにおいて、多孔性シート状物を、孔径０．１ｍｍ〜２．５ｍｍの小孔を多数有する多孔板または網状物をもって形成する。
【００１５】
（７）上記（１）〜（６）項のいずれかにおいて、多孔性シート状物を張設したシート保持体の左右側端を、側面部材で被覆する。
【００１６】
（８）請求項１〜７のいずれかに記載の水滴落下音の低減化装置を取り付けてなる突出構造体とする。
【発明の効果】
【００１７】
本発明によると、各請求項に記載の発明においては、次のような効果が奏せられる。
【００１８】
請求項１記載の発明によれば、建物躯体の壁部から外側前方に向けて、少なくとも一部が突出する突出構造体上に、左右方向に取り付けるためのシート保持体と、このシート保持体に少なくとも下方に空間を存在させた状態で前方に向けて下降傾斜させて張設した多孔性シート状物とよりなるため、雨上がりの後に、多孔性シート状物上に落下衝突する水滴の衝突音は、次のような作用により低減される。
すなわち、落下する各水滴は、その大半が多孔性シート状物の孔の周縁に衝突するが、この衝突の際に、個々の水滴は、水滴の下面全体が孔の周縁に衝突するのではなく、下面の一部が衝突し、下面の大半は孔内部に位置する。
そのため、孔内部に位置した部分は衝突を生じないとともに、多孔性シート状物がシート状で薄く、かつ下方に空間を存在させた状態で張設してあるため、多孔性シート状物が上下方向に弾性的に振れ動いて、クッション作用をなし、これにより、孔の周縁に衝突することによって生ずる衝突音も相応に低減される。
またさらに、個々の水滴について、水滴の下面のうち孔内部に位置した部分が、分離して下方に落下しても、すでに部分的に孔の周縁に衝突することにより、落下速度が大幅に小さいものとなっており、分離した部分がさらに下方に落下して生ずる衝突音は極めて小さく、問題とはならない。
このように、本発明の低減化装置により、水滴の落下音を大幅に低減することができる。
【００１９】
請求項２記載の発明によれば、突出構造体を、窓枠、出窓、または上部にシャッター収容ケースを有する窓用シャッターとしてあるため、水滴の落下音を、より効果的に低減することができる。
【００２０】
請求項３記載の発明によれば、シート保持体を、後面が建物躯体の壁部外側面に沿って配置されるとともに、前方に向けて下降傾斜する傾斜面を有する側面視ほぼ直角三角形状の中空構造体によって形成し、かつ前記傾斜面の上下端に膨出端部を設けてあるため、多孔性シート状物を上下端の膨出端部間に張設することにより、多孔性シート状物を下方に空間を存在させた状態で、前方に向けて、下降傾斜させて張設することができる。
さらに、シート保持体を中空構造体とすることにより、低減化装置の軽量化とコスト低減の両者を図ることができる。
【００２１】
請求項４記載の発明によれば、シート保持体を、後面が建物躯体の壁部外側面に沿って配置される起立片と、この起立片の下端から前方に向けて延びる水平片とよりなる側面視ほぼＬ字状に形成してあるため、多孔性シート状物を起立片の上端と水平片の前端との間に張設することにより、多孔性シート状物を下方に空間を存在させた状態で、前方に向けて下降傾斜させて張設することが容易にできる。
【００２２】
請求項５載の発明によれば、シート保持体を、多孔性シート状物を張設させる第１部材と、この第１部材を所望の角度で支持する第２部材とより構成してあるため、第２部材を第１部材を支持する角度が異なるものに変更することにより、所望の角度で第１部材を支持させることができ、これにより、多孔性シート状物を所望の角度で前方に向けて下降傾斜させて張設することができる。
例えば降雪量が多い地方においては、傾斜角度を大きくして、雪が本発明の低減化装置上に堆積することを防止することができる。
【００２３】
請求項６記載の発明によれば、多孔性シート状物を、孔径０．１ｍｍ〜２．５ｍｍの小孔を多数有する多孔板または網状物をもって形成してあるため、落下する水滴が、そのまま小孔内を通過して、さらに下方に落下して衝突音を発生するという事態を防止することができる。
落下する水滴は、その大半が小孔の周縁に衝突し、請求項１記載の発明についての効果の項において説明した作用により、水滴落下音の低減化の効果が奏せられる。
【００２４】
請求項７記載の発明によれば、シート保持体の左右側端が開口されている場合でも、側面部材で被覆することにより開口が閉塞されるとともに、必要に応じて側面部材を窓枠等にねじ等をもって止着することにより、低減化装置を安定して固定することができる。
【００２５】
請求項８記載の発明によれば、突出構造体に、水滴落下音の低減化装置を取り付けてなるため、構造体から発生する水滴の落下音を大幅に低減することができる。
【発明を実施するための最良の形態】
【００２６】
以下、本発明の実施の形態について図面を参照しながら詳述する。
図１は、本発明における第１実施形態の水滴落下音の低減化装置を備えた窓部を示す要部斜視図、図２は、図１のII−II線における要部拡大縦断面図、図３は、同じく、図２の要部を更に拡大するとともに、多孔性シート状物の一部を更に拡大して示す縦断面図、図４は、窓枠への水滴落下音の低減化装置の取付方法を説明するための分解斜視図である。
【００２７】
図１および図２に示すように、建物躯体１の壁部２には、窓用開口部３が形成されているとともに、この窓用開口部３には、開口枠４が組み込まれ、この開口枠４の外側前端には、合成樹脂製の窓枠５が取り付けられている。
【００２８】
窓枠５は、壁部２の外側面２ａから外側に向けて、外側前端を一部突出させて取り付けられているともに、その枠内には、左右１対の引違い戸６，６および網戸７が左右方向に開閉自在に設けられている。
【００２９】
窓枠５のうち、壁部２の外側面２ａから外側に突出した部分における上面５ａには、左右長手方向に沿って水滴落下音の低減化装置８が取り付けられている。
この低減化装置８は、図４に示すように、多孔性シート状物９とシート保持体１０と側面部材１１とにより構成されている。
【００３０】
図３、図４に示すように、シート保持体１０は、側面視においてやや扁平な側面視直角三角形状をなし、左右方向に長尺な中空構造体となっている。
シート保持体１０における外側に向けて下降傾斜する傾斜面１０ａの上下端には、側面視ほぼ円形断面形状の膨出端部１０ｂ，１０ｃが左右方向に延設されている。
【００３１】
多孔性シート状物９は、シート保持体１０における傾斜面１０ａの上方に、この傾斜面１０ａの上下端の膨出端部１０ｂ，１０ｃ間に架け渡すようにして、シート保持体１０に張設されている。
すなわち、多孔性シート状物９の上端部分９ａをシート保持体１０の後面１０ｄに、下端部分９ｂをシート保持体１０の底面１０ｇに、それぞれ両面接着テープ（図示省略）等をもって固定することにより、多孔性シート状物９と傾斜面１０ａ間に空間が存在するような状態で、多孔性シート状物９がシート保持体１０に取り付けられている。
【００３２】
多孔性シート状物９のうち、傾斜面１０ａと対向する部分には、多数の小孔１２が穿設されている
この小孔１２は、上方より多孔性シート状物９上に落下してく水滴の粒径よりも小さな孔径、一般的には、０．１ｍｍ〜２．５ｍｍ、さらに好ましくは０．１ｍｍ〜１．４ｍｍの孔径を有するものが用いられる。
【００３３】
小孔１２の孔径が水滴の粒径、一般的には、前記の上限２．５ｍｍより大きい場合には、水滴が小孔１２を通過して傾斜面１０ａに衝突してしまい、この衝突時に発生する衝突音を低減することができない。
一方、小孔１２の孔径が過度に小さい場合、水滴が多孔性シート状物９に落下衝突するときに、相当程度の衝突音が発生してしまう。
また、小孔１２の孔径が前記の範囲内にあれば、相応の衝突音の低減効果が奏されるが、隣接する小孔１２が過度に離間している場合には、その小孔１２間の多孔性シート状物９部分に水滴が衝突し、衝突音の低減効果が減少するおそれがある。
このため、傾斜面１０ａと対向する部分における多孔性シート状物９の小孔１２の開口率は、５５％以上、さらに好ましくは６５％以上であることが望まれる。
【００３４】
多孔性シート状物９としては、いわゆる多孔板、多孔シート、多孔フィルム、または網状物が好ましく用いられるとともに、中でも、コスト面、入手の容易さ、および取扱いの容易さの観点から、網状物を用いることが好ましい。
多孔性シート９が網状物である場合、網状物は、１０〜５０メッシュで、目開きが０．２８〜２．１１ｍｍ、特に１６〜３０メッシュで、目開きが１．３９〜０．５１ｍｍであることが好ましい。
多孔性シート状物９の材質としては、耐候性のほか、軽量化も考慮した場合、多孔板、多孔シート、多孔フィルムである場合には、ステンレススチール、ガラス繊維含有樹脂、ポリプロピレン樹脂等からなるものが挙げられ、特に極薄のステンレススチール板が好ましく用いられる。
また、網状物である場合には、ポリプロピレンメッシュなどの樹脂メッシュ、ステンレススチールメッシュが挙げられ、特に線径０．５〜０．０５ｍｍのステンレススチールメッシュが好ましく用いられる。
【００３５】
シート保持体１０の左右側端１０ｅは、側面部材１１によって被覆され、小口開口１０ｆは、閉塞される。
側面部材１１は、シート保持体１０の側端１０ｅとほぼ同じ形状を有し、この側端１０ｅを覆うとともに、シート保持体１０の底面１０ｇよりも下方まで延びる側基板１１ａと、この側基板１１ａの上端傾斜縁に、左右方向の内側に向けて設けられた縁片１１ｂと、側基板１１ａの同じく内側面に設けられた嵌入部１１ｃとにより形成されている。
【００３６】
嵌入部１１ｃは、シート保持体１０の小口開口１０ｆとほぼ同じ形状をなし、この嵌入部１１ｃを、小口開口１０ｆの開口１３内に内嵌することにより、多孔性シート状物９を取り付けた後におけるシート保持体１０の左右側端１０ｅが被覆される。
【００３７】
次いで、側面部材１１の側基板１１ａの下部に穿設された前後１対のビス孔１１ｄに、ビス１４を挿通して、窓枠５の外側面５ｂに螺着することにより、低減化装置８が窓枠５の上面５ａに取り付けられている。
【００３８】
図５は、本発明における第２実施形態の低減化装置１５を備えた窓部の要部拡大縦断面図である。
本実施形態では、第１実施形態におけるシート保持体１０への多孔性シート状物９の張設構造に改良を施したものである。
【００３９】
図５に示すように、シート保持体１６は、第１実施形態における場合と同様に、側面視においてやや扁平な直角三角形状をなし、左右方向に長尺な中空構造体となっている。
【００４０】
シート保持体１６における外側に向けて下降傾斜する傾斜面１６ａの上下端には、それぞれ後向き、下向きに開口し、左右方向に延設される膨出端部としての係止部１７ａ，１７ｂが設けられている。
この係止部１７ａ，１７ｂは、側面視において、奥部が幅広溝となっており、幅方向の外向きの１対の係止爪１８ａ，１８ａを備える止めピン１８が係止されるようになっている。
【００４１】
多孔性シート状物１９をシート保持体１６に張設するには、次のようにする。
すなわち、多孔性シート状物１９を、シート保持体１６における上下部の係止部１７ａ，１７ｂ間に緊張状態で架け渡すと共に、多孔性シート状物１９の上端部分１９ａ、下端部分１９ｂを、それぞれシート保持体１６の上部係止部１７ａ、下部係止部１７ｂの開口位置まで巻き込ませ、次いで、止めピン１８を、上下部の係止部１７ａ，１７ｂに係止させることにより、多孔性シート状物１９の上端部分１９ａ、下端部分１９ｂが、それぞれ上部係止部１７ａ、下部係止部１７ｂの幅広溝内に押し入れられて、多孔性シート状物１９がシート保持体１６の上下部の係止部１７ａ，１７ｂ間に張設される。
【００４２】
このような張設構造をとることにより、第１実施形態のように、両面接着テープを用いる場合よりも、簡便にかつ強固に、多孔性シート状物１９をシート保持体１６に張設することができる。
【００４３】
また、シート保持体１６の左右側端は、第１実施形態の場合と同様に、側面部材２０によって被覆される。
【００４４】
図６は、本発明における第３実施形態の低減化装置２１を備えた窓部の要部拡大縦断面図である。
【００４５】
図６に示すように、本実施形態におけるシート保持体２２は、第１部材２３と第２部材２４の２部材により構成されている。
両部材２３，２４とも、左右方向に長尺な側面視Ｌ字状をなし、第２部材２４は、第１部材２３の内方に抱き込まれるようにして積み重ねることができるようになっている。
【００４６】
多孔性シート状物２５をシート保持体２２に張設するには、次のようにする。
まず、第１部材２３の起立片２３ａを建物躯体１の壁部２の外側面２ａに当接させた状態で窓枠２６の上面に載置するとともに、上方からねじ２７をもって、水平片２３ｂを挿通して、窓枠２６に螺止することにより、第１部材２３を窓枠２６に固定する。
【００４７】
次いで、第２部材２４の起立片２４ａの上端と、水平片２４ｂの前端間に、多孔性シート状物２５を架け渡すとともに、多孔性シート状物２５の上端部分２５ａ、下端部分２５ｂを、それぞれ第２部材２４における起立片２４ａの背面、水平片２４ｂの下面に巻き廻した状態で、第２部材２４を第１部材２３に積み重ねて、ねじ２８，２９をもって、第２部材を第１部材２３に固定する。
これにより、多孔性シート状物２５の上端部分２５ａ、下端部分２５ｂは、両部材２３，２４間に挟持され、多孔性シート状物２５がシート保持体２２に張設される。
【００４８】
また、シート保持体２２の左右側端は、第１実施形態の場合と同様に、側面部材３０によって被覆される。
【００４９】
図７は、本発明における第４実施形態の低減化装置３１を備えた窓部の要部拡大縦断面図である。
【００５０】
図７に示すように、本実施形態におけるシート保持体３２も、第１部材３３と第２部材３４の２部材により構成されている。
第１部材３３は、平面視において、左右方向に長尺な枠状部材である。
第２部材３４は、側面視において、後向きに拡開するＶ字状をなす左右１対の支持部材である。
【００５１】
多孔性シート状物３５をシート保持体３２に張設するには、次のようにする。
まず、枠状部材３３の上下面に多孔性シート状物３５を架け渡して、接着テープで固定する。
例えば、前後左右の４つの枠材よりなる枠状部材３２において、多孔性シート状物３５の一端を両面接着テープで後枠材３３ａの後面に固定した後、多孔性シート状物３５を、後枠材３３ａの上面から前枠材３３ｂの上面に架け渡し、前枠材３３ｂの前面に当接させて巻き廻し、前枠材３３ｂの下面から後枠材３３ａの下面に架け渡して、多孔性シート状物３５の他端を、同じく後枠材３３ａの後面に両面接着テープで固定する。
【００５２】
次いで、左右１対の支持部材３４を、枠状部材３３の左右枠材３３ｃに止着する。
さらに、シート保持体３２の左右側端を、第１実施形態の場合と同様に、側面部材３６によって被覆するとともに、この側面部材３６を、図示を省略したねじをもって窓枠３７に固定することによって、多孔性シート状物３５がシート保持体３２に張設された低減化装置３１が、窓枠３７の上面に安定的に取り付けられる。
【００５３】
また、枠状部材３３の前枠材３３ｂには、水切り３８が取り付けられている。
この水切り３８は、枠状部材３３の上面に張設された多孔性シート状物３５上に落下する水滴の水切りを良好にするためのものである。
【００５４】
本実施形態においては、多孔性シート状物３５が上下に２重に張設されているため、多孔性シート状物３５の小孔の孔径は、多少大き目であっても、落下する水滴は、上下２重の多孔性シート状物３５のいずれかで捕獲され、衝突音の低減が図られる。
なお、枠状部材３３の左右の枠材３３ｃ間にも必要に応じて適宜中間枠材を設けて、この中間枠材を、左右１対の支持部材３４とは別途設けた支持部材をもって支持させるようにしてもよい。
【００５５】
図８は、本発明における第４実施形態の低減化装置３９を備えた窓部の要部拡大縦断面図である。
【００５６】
図８に示すように、本実施形態におけるシート保持体４０も、第１部材４１と第２部材４２の２部材により構成されている。
第１部材４１は、第１実施形態におけるシート保持体１０をさらに扁平にした形状の部材である。
第２部材４２は、第１部材４１を支持する部材である。
【００５７】
本実施形態の特徴は、多孔性シート状物４３を張設した第１部材４１の前後方向の位置、すなわち建物躯体１における壁部２から外方へ向かう位置を調節可能としたことである。
すなわち、上方から落下する水滴の位置に合わせて、第１部材４１の前後方向の位置を調節可能としたことである。
【００５８】
第２部材４２は、支持部４４と固定台４５とにより構成されている。
支持部４４は、平面視において、左右方向に長尺な四角形状の支持板４４ａと、この支持板４４ａの前端縁から垂下する垂下片４４ｂと、この垂下片４４ｂの後面から後向きに延設される係合片４４ｃとにより形成されている。
係合片４４ｃの上下面には、断面が鋸歯状の係合凹凸部４４ｄが前後方向に連設されている。
【００５９】
固定台４５は、側面視において、片仮名コ字状をなし、前方が開口する係合溝４５ａを有している。
係合溝４５ａの上下内面には、支持部４４における係合片４４ｃと同様に、係合凹凸部４５ｂが設けられている。
この係合溝４５ａに支持板４４ａの係合片４４ｃを内挿して係合させ、支持板４４ａを前後方向の任意の位置で位置安定よく係止させることができる。
【００６０】
なお、第１部材４１への多孔性シート状物４３の張設は、第１実施形態の場合と同様に、両面接着テープ等で適宜行えばよい。
また、第１部材４１の支持板４４ａへの固定は、図示を省略したねじ等で容易に行うことができる。
さらに、固定台４５は、ねじ４６をもって窓枠４７に固定されている。
なお、固定枠４５は、窓枠４７と一体成型することもでき、この場合には、建物躯体１の窓用開口部３への窓枠４７の取付けの容易さの観点から、固定台４５を、窓枠４７の内部に組み込むとともに、窓枠４７の上面が、平坦となるようにすることが好ましい。
【００６１】
第１部材４１および第２部材４２の左右側端は、第１実施形態の場合と同様に、側面部材４８によって適宜被覆される。
この場合、第１部財４１は、前後方向に調節可能であるため、側面部材４８は、窓枠４７に固定することなく、第１部財４１に固定して、これに追従して前後方向に移動可能とするとよい。
【００６２】
なお、本発明の低減化装置は、以上実施形態として示した建物躯体の壁部から一部外方に突出する窓枠の上面に取り付ける場合以外に、例えば建物躯体の壁部に設けられた開口部に取り付けて使用される出窓またはシャッター等の少なくとも一部が、前記壁部から外側前方に突出する構造体における突出部の上面に取り付けて使用するなど、必要に応じて所望の場所に取り付けることができる。例えばシャッターとしては、特開２００４−２５７０１９号公報（図１参照）に開示されているように、上部にシャッター収容ケースを有する窓用シャッター等を挙げることができる。
【図面の簡単な説明】
【００６３】
【図１】本発明における第１実施形態の水滴落下音の低減化装置を備えた窓部を示す要部斜視図である。
【図２】図１のII−II線における要部拡大縦断面図である。
【図３】同じく、図２の要部を更に拡大するとともに、多孔性シート状物の一部を更に拡大して示す縦断面図である。
【図４】窓枠への水滴落下音の低減化装置の取付方法を説明するための分解斜視図である。
【図５】本発明における第２実施形態の低減化装置を備えた窓部の要部拡大縦断面図である。
【図６】本発明における第３実施形態の低減化装置を備えた窓部の要部拡大縦断面図である。
【図７】本発明における第４実施形態の低減化装置を備えた窓部の要部拡大縦断面図である。
【図８】本発明における第５実施形態の低減化装置を備えた窓部の要部拡大縦断面図である。
【符号の説明】
【００６４】
１    建物躯体
２    壁部
２ａ  外側面
３    窓用開口部
４    開口枠
５    窓枠（突出構造体）
５ａ  上面
５ｂ  外側面
６    引違い戸
７    網戸
８    低減化装置
９    多孔性シート状物
９ａ  上端部分
９ｂ  下端部分
１０  シート保持体（中空構造体）
１０ａ  傾斜面
１０ｂ，１０ｃ  膨出端部
１０ｄ  後面
１０ｅ  側端
１０ｆ  小口開口
１０ｇ  底面
１１  側面部材
１１ａ  側基板
１１ｂ  縁片
１１ｃ  嵌入部
１１ｄ  ビス孔
１２  小孔
１３  開口
１４  ビス
１５  低減化装置
１６  シート保持体
１６ａ  傾斜面
１７ａ，１７ｂ  係止部
１８  止めピン
１８ａ，１８ａ  係止爪
１９  多孔性シート状物
１９ａ  上端部分
１９ｂ  下端部分
２０  側面部材
２１  低減化装置
２２  シート保持体
２３  第１部材
２３ａ  起立片
２３ｂ  水平片
２４  第２部材
２４ａ  起立片
２４ｂ  水平片
２５  多孔性シート状物
２５ａ  上端部分
２５ｂ  下端部分
２６  窓枠（突出構造体）
２７  ねじ
２８，２９  ねじ
３０  側面部材
３１  低減化装置
３２  シート保持体
３３  第１部材（枠状部材）
３３ａ  後枠材
３３ｂ  前枠材
３３ｃ  左右枠材
３４  第２部材（支持部材））
３５  多孔性シート状物
３６  側面部材
３７  窓枠（突出構造体）
３８  水切り
３９  低減化装
４０  シート保持体
４１  第１部材
４２  第２部材
４３  多孔性シート状物
４４  支持部
４４ａ  支持板
４４ｂ  垂下片
４４ｃ  係合片
４４ｄ  係合凹凸部
４５  固定台
４５ａ係合溝
４５ｂ  係合凹凸部
４６  ねじ
４７  窓枠（突出構造体）
４８  側面部材
【図１】
2010053638.tif 000003
【図２】
2010053638.tif 000004
【図３】
2010053638.tif 000005
【図４】
2010053638.tif 000006
【図５】
2010053638.tif 000007
【図６】
2010053638.tif 000008
【図７】
2010053638.tif 000009
【図８】
2010053638.tif 000010